(57)【特許請求の範囲】
【請求項１】
各個の移動機の移動機情報と前記各移動機を所有する加入者の加入者情報との原簿情報を含む加入者原簿情報を管理するためのHome Location Register（HLR）としての加入者原簿情報管理装置と、
ローカル加入者情報管理装置の管理するエリアに在圏する移動機について前記在圏する移動機の移動機情報と前記在圏する移動機を所有する加入者の加入者情報とを含む情報を前記加入者原簿情報管理装置から取得し、加入者管理情報として管理するための Visitor Location Register（VLR）または Serving General packet radio service Node（SGSN）としてのローカル加入者情報管理装置とを含み、
前記ローカル加入者情報管理装置は、移動機識別子であるIMEISV（International Mobile Equipment Identity and Software Version Number）および IMEI（International Mobile station Equipment Identity）のいずれか一方を前記在圏する移動機から取得し、少なくとも前記移動機識別子に基づいて、前記在圏する移動機の呼制御トラヒックが滅多に発生しないことが識別される場合は、この取得に係る加入者管理情報による呼制御後に、前記在圏する移動機に関する前記加入者管理情報を選択的に非保存処理することを特徴とする移動通信システム。
【請求項２】
前記在圏する移動機が自動販売機や汎用機器に組み込まれたものであると判別された場合は、前記ローカル加入者情報管理装置は、前記在圏する移動機の前記加入者管理情報を非保存処理することを特徴とする請求項１に記載の移動通信システム。
【請求項３】
前記在圏する移動機が自動販売機や汎用機器に組み込まれたものではないと判別された場合は、前記ローカル加入者情報管理装置は、前記在圏する移動機の前記加入者管理情報を非保存処理にするかわりに、前記移動機の位置登録を行うことを特徴とする請求項１に記載の移動通信システム。
【請求項４】
前記非保存処理とは、消去（削除）処理あるいは前記加入者管理情報として保持しない処理であることを特徴とする請求項１に記載の移動通信システム。
【請求項５】
前記非保存処理は、少なくともＰ−ＴＭＳＩ（Packet Temporary Mobile Subscriber Identity）、加入者識別子（ＩＭＵＩ：International Mobile User Identifier）在圏ＲＡ（Routing Area）を残し、それ以外の加入者情報を削除することを特徴とする請求項１に記載の移動通信システム。
【請求項６】
前記ローカル加入者情報管理装置は、前記加入者管理情報および前記移動機識別子に依拠して、前記在圏する移動機の呼制御トラヒックが滅多に発生しないものであることを判定することを特徴とする請求項１に記載の移動通信システム。
【請求項７】
各個の移動機の移動機情報と当該各移動機を所有する加入者の加入者情報との原簿情報を含む加入者原簿情報を管理するためのHome Location Register（HLR）としての加入者原簿情報管理装置と、
ローカル加入者情報管理装置の管理するエリアに在圏する移動機について前記在圏する移動機の情報と前記在圏する移動機を所有する加入者の加入者情報とを含む情報を、前記加入者原簿情報管理装置から取得し、加入者管理情報として管理するためのVisitor Location Register（VLR）またはServing General packet radio service Node（SGSN）としてのローカル加入者情報管理装置とを含む移動通信システムに適用されるローカル加入者情報管理装置であって、
移動機識別子であるIMEISV（International Mobile Equipment Identity and Software Version Number）および IMEI（International Mobile station Equipment Identity）のいずれか一方を在圏する移動機から取得し、少なくとも前記移動機識別子に基づいて、前記在圏する移動機の呼制御トラヒックが滅多に発生しないことが識別される場合は、この取得に係る加入者管理情報による呼制御後に、前記在圏する移動機に関する、前記加入者管理情報を選択的に非保存処理することを特徴とするローカル加入者情報管理装置。
【請求項８】
Home Location Register（HLR）としての加入者原簿情報管理装置と、Visitor Location Register（VLR）またはServing General packet radio service Node（SGSN）としてのローカル加入者情報管理装置とを含む移動通信システムにおける通信情報管理方法であって、
各個の移動機の情報と当該各移動機を所有する加入者の加入者情報との原簿情報を含む加入者原簿情報を取得するステップと、
ローカル加入者情報管理装置の管理するエリアに在圏する移動機について前記在圏する移動機の移動機情報と前記在圏する移動機を所有する加入者の加入者情報とを含む情報を、前記加入者原簿情報管理装置から、加入者管理情報として取得するステップと、
移動機識別子であるIMEISV（International Mobile Equipment Identity and Software Version Number）および IMEI（International Mobile station Equipment Identity）のいずれか一方を在圏する移動機から取得するステップと、
前記移動機から取得した前記移動機識別子に基づいて、前記在圏する移動機の呼制御トラヒックが滅多に発生しないことが識別される場合は、この取得に係る加入者管理情報による呼制御後に、前記在圏する移動機に関する前記加入者管理情報を選択的に非保存処理するステップと、を含むことを特徴とする通信情報管理方法。
【発明の詳細な説明】
【技術分野】
【０００１】
本発明は、移動通信システム、ローカル加入者情報管理装置、および、通信情報管理方法に関する。
【背景技術】
【０００２】
各個の移動機を表す情報とこれら各移動機に対応する加入者情報との原簿情報を含む加入者原簿情報を管理する加入者原簿情報管理装置と、在圏する移動機について当該各移動機を表す情報と各移動機に対応する加入者情報とを含む加入者管理情報を上述の加入者原簿情報管理装置から取得して管理するローカル加入者情報管理装置とを含んで構築された移動通信システムがある。
【０００３】
３ＧＰＰ（3rd Generation Partnership Projects）勧告に準拠した移動通信システムでは、移動機の位置や加入者情報を管理する方式として、ＨＬＲ（Home Location Register）方式とＶＬＲ（Visitor Location Register）方式とが規定されている。
ＨＬＲ方式では、交換機とは物理的に独立して設置されるＨＬＲにおいて、移動機の位置情報と加入者情報との原簿となる情報を管理する。
【０００４】
これに対し、ＶＬＲ方式では、該当する移動機に関する位置登録を契機に、この移動機が在圏する交換機毎のＶＬＲに加入者情報をＨＬＲからダウンロード（即ち、上述の原簿からコピー）し、移動機の位置情報と加入者情報を管理する。
一方、移動機としての機能を保有する無線端末装置が例えば飲料やたばこ等の自動販売機に備えられ在庫管理や購入者の認証に用いられるようなケースが増えつつある。
【０００５】
上述のようなケースでは、旧来のように専ら運用者の経験に依存して自動販売機での販売品目の補充等を行なうに替えて、現実の在庫に見合った補充作業を行うことが可能になり、また、セキュリティの確保についても一定の効果を収めるに到っている。
移動機（無線端末装置）に関するこのような応用的利用方法は、今後、家庭電気製品等に代表される汎用機器にまで波及しようという趨勢にある。
【０００６】
移動通信システムに収容される移動機の数は、ユーザが携帯するものに限られず上述のように多数の自動販売機や汎用機器に組み込まれるものも含まれることも相俟って急増し、その数の飛躍的増加は、現実にデータが流れるトラヒックの増加を遥かに凌駕するものとなることが予測に難くない。
これは、例えばユーザが携帯する移動機は文字どおり移動して逐次該当する在圏の交換機が変更される頻度が高く、これだけに関しても管理情報に関するトラヒックが頻繁に発生する状況にあるのに対し、自動販売機や汎用機器では、平生の運用ないし使用状態において在圏の交換機が変更される蓋然性は極めて低く、従って、この変更に関係する管理情報のトラヒックは滅多に発生しないからである。
【０００７】
しかしながら、従来の移動通信システムの運用に係る一般的な思想では、移動機の数に相応するだけの記憶容量を上述のローカル加入者情報管理装置（３ＧＰＰ勧告に準拠した移動通信システムではＶＬＲ）において確保するように考えられていた。
今後予想されるユビキタス時代に向けて、移動通信システムに収容される移動機数の飛躍的増大に見合うように、一律に、ローカル加入者情報管理装置（ＶＬＲ）に関する設備増設を行なうとすると、現実にデータが流れる通信トラヒックを勘案したときには甚だ適切さを欠いた過剰な設備を構築してしまうといった事態を招来してしまうことになる。
【０００８】
尚、在圏の交換機（そのＶＬＲ）に現にこれ以上登録できない状況が生じ得ることを前提として、この状況に到ったときに、消去しても支障のない加入者情報から消去して空き容量を確保するといった技術は既に提案されている。
例えば、交換機において、移動機からの位置登録信号を受信した際に、加入者情報を管理する自交換機用の第１の管理装置に新たに加入者情報を登録できない場合には、自交換機用の第１の管理装置に現在登録されている加入者情報の１つを削除して登録の空き容量を確保し、この容量確保を俟って加入者情報を登録するといったものである（特許文献１参照）。
【０００９】
また、交換機において、移動機からの位置登録信号を受信した際に、加入者情報を管理する自交換機用の管理装置に新たに加入者情報を登録できない場合には、そのような加入者情報については、加入者情報を管理する他の交換機用の管理装置に登録するといった提案もある。
この提案では、移動機からの発信信号を受信した際に、この発信信号を送信した移動機の加入者情報が、加入者情報を管理する自交換機用の管理装置に登録されていない場合には、上記加入者情報を、加入者情報を管理する他の交換機用の管理装置から取得するようにしている（特許文献２参照）。
【００１０】
更に、通信制御装置は、複数の交換機がエリアを管理し、交換機毎にその交換機が管理するエリアに在圏する移動機の加入者情報を保持するようにした移動通信システムにおいて、通信制御装置が、エリア加入者情報保持手段の空き容量に応じて、移動機からの位置登録信号を転送先交換機に転送し、位置登録を実施した転送先交換機を移動機に通知するようにする技術が提案されている。
【００１１】
この提案では、ある交換機のエリア加入者情報保持手段の空き容量が少ない場合であっても、他の交換機に位置登録信号を転送し、移動機の位置登録を行うことができ、且つ、通信制御装置は位置登録を実施した転送先交換機を移動機に通知するため、移動機は位置登録後、移動機の加入者情報をエリア加入者情報保持手段に保持している転送先交換機に対して信号を送信でき、より多くの移動機に移動通信サービスを提供し、発着信時における接続遅延や信号量の増加を防止することができるとされている（特許文献３参照）。
【００１２】
【特許文献１】特開２００２−３２００３２号公報（段落００５４〜段落００６５、図９〜図１２等）
【特許文献２】特開２００６−５９６６号公報（段落０００７〜段落０００８、段落００４９〜段落００５４、段落０１２８、段落０２４８〜段落０２５１、段落０３１９、図６〜図８等）
【特許文献３】特開２００６−７４４０４号公報（段落００２０〜段落００２８、図１〜図２等）
【発明の開示】
【発明が解決しようとする課題】
【００１３】
しかし、上掲の何れの特許文献に開示された技術も、在圏の交換機或いは加入者情報管理装置（ローカル局のＶＬＲ）に現にこれ以上加入者情報を登録できない状況が生じ得ることを前提として、この状況に到ったときに、消去しても支障のない加入者情報から消去して空き容量を確保し、その上で加入者情報を登録し、或いはまた、他の交換機或いは加入者情報管理装置（ローカル局のＶＬＲ）に加入者情報を登録するといたものであり、本来的に、上述のような「これ以上加入者情報を登録できない状況」が生じない（生じ難い）ようにする方途を提供しようとするものではない。
【００１４】
本発明は、上述のような状況に鑑みてなされたものであり、加入者の増大によってもローカル加入者情報管理装置で保持している加入者情報の情報量が徒に増大することがないようにして、ローカル局（ローカル加入者情報管理装置）における加入者情報の保持手段の容量増加を俟たずに増大する加入者を賄い切れるようにした移動通信システム、ローカル加入者情報管理装置、および、通信情報管理方法を提供することを目的とする。
【課題を解決するための手段】
【００１５】
上記課題を解決するべく、本願では次に列記するような技術を提案する。
即ち、本発明の一態様による移動通信システムは、
各個の移動機を表す情報と前記各移動機を所有する加入者の加入者情報との原簿情報を含む加入者原簿情報を管理するためのHome Location Register（HLR）としての加入者原簿情報管理装置と、ローカル加入者情報管理装置の管理するエリアに在圏する移動機について前記在圏する移動機の移動機情報と前記在圏する移動機を所有する加入者の加入者情報とを含む情報を前記加入者原簿情報管理装置から取得し、加入者管理情報として管理するための Visitor Location Register（VLR）または Serving General packet radio service Node（SGSN）としてのローカル加入者情報管理装置とを含み、
前記ローカル加入者情報管理装置は、移動機識別子であるIMEISV（International Mobile Equipment Identity and Software Version Number）および IMEI（International Mobile station Equipment Identity）のいずれか一方を前記在圏する移動機から取得し、少なくとも前記移動機識別子に基づいて、前記在圏する移動機の呼制御トラヒックが滅多に発生しないことが識別される場合は、この取得に係る加入者管理情報による呼制御後に、前記在圏する移動機に関する前記加入者管理情報を選択的に非保存処理することを特徴とする。
【００１６】
上記のような移動通信システムにおいて、前記在圏する移動機が自動販売機や汎用機器に組み込まれたものであると判別された場合は、前記ローカル加入者情報管理装置は、前記在圏する移動機の前記加入者管理情報を非保存処理するようにしてもよい。
【００１７】
上記のような移動通信システムにおいて、前記在圏する移動機が自動販売機や汎用機器に組み込まれたものではないと判別された場合は、前記ローカル加入者情報管理装置は、前記在圏する移動機の前記加入者管理情報を非保存処理にするかわりに、前記移動機の位置登録を行うようにしてもよい。
【００１８】
上記のような移動通信システムにおいて、前記非保存処理とは、消去（削除）処理あるいは前記加入者管理情報として保持しない処理であることが望ましい。非保存処理は、上述のように、例えば消去（削除）処理ないし「加入者情報」としては保持しないような処理であり、従って、加入者が増大してもローカル加入者情報管理装置で加入者情報として保持する情報の増加が効果的に抑制され、加入者情報の保持手段の容量を増加させるといった特段の処置を俟たずに加入者増に対応可能な限界が大幅に拡張される。
【００１９】
上記のような移動通信システムにおいて、前記非保存処理は、少なくともＰ−ＴＭＳＩ（Packet Temporary Mobile Subscriber Identity）、加入者識別子（ＩＭＵＩ：International Mobile User Identifier）在圏ＲＡ（Routing Area）を残し、それ以外の加入者情報を削除するようにしてもよい。
【００２０】
上記のような移動通信システムにおいて、前記ローカル加入者情報管理装置は、前記加入者管理情報および前記移動機識別子に依拠して、前記在圏する移動機の呼制御トラヒックが滅多に発生しないものであることを判定することが望ましい。
【００２３】
一方、本発明の他の態様によるローカル加入者情報管理装置は、各個の移動機の移動機情報と当該各移動機を所有する加入者の加入者情報との原簿情報を含む加入者原簿情報を管理するためのHome Location Register（HLR）としての加入者原簿情報管理装置と、
ローカル加入者情報管理装置の管理するエリアに在圏する移動機について前記在圏する移動機の情報と前記在圏する移動機を所有する加入者の加入者情報とを含む情報を、前記加入者原簿情報管理装置から取得し、加入者管理情報として管理するためのVisitor Location Register（VLR）またはServing General packet radio service Node（SGSN）としてのローカル加入者情報管理装置とを含む移動通信システムに適用されるローカル加入者情報管理装置であって、
移動機識別子であるIMEISV（International Mobile Equipment Identity and Software Version Number）および IMEI（International Mobile station Equipment Identity）のいずれか一方を在圏する移動機から取得し、少なくとも前記移動機識別子に基づいて、前記在圏する移動機の呼制御トラヒックが滅多に発生しないことが識別される場合は、この取得に係る加入者管理情報による呼制御後に、前記在圏する移動機に関する、前記加入者管理情報を選択的に非保存処理することを特徴とする。
【００３１】
一方、本発明の更に他の態様である通信情報管理方法は、
Home Location Register（HLR）としての加入者原簿情報管理装置と、Visitor Location Register（VLR）またはServing General packet radio service Node（SGSN）としてのローカル加入者情報管理装置とを含む移動通信システムにおける通信情報管理方法であって、
各個の移動機の情報と当該各移動機を所有する加入者の加入者情報との原簿情報を含む加入者原簿情報を取得するステップと、
ローカル加入者情報管理装置の管理するエリアに在圏する移動機について前記在圏する移動機の移動機情報と前記在圏する移動機を所有する加入者の加入者情報とを含む情報を、前記加入者原簿情報管理装置から、加入者管理情報として取得するステップと、
移動機識別子であるIMEISV（International Mobile Equipment Identity and Software Version Number）および IMEI（International Mobile station Equipment Identity）のいずれか一方を在圏する移動機から取得するステップと、
前記移動機から取得した前記移動機識別子に基づいて、前記在圏する移動機の呼制御トラヒックが滅多に発生しないことが識別される場合は、この取得に係る加入者管理情報による呼制御後に、前記在圏する移動機に関する前記加入者管理情報を選択的に非保存処理するステップと、を含むことを特徴とする。
【発明の効果】
【００４１】
本発明によれば、加入者の増大によってもローカル加入者情報管理装置で保持している加入者情報（加入者管理情報）の情報量が徒に増大することがないようにして、ローカル局（ローカル加入者情報管理装置）における加入者情報の保持手段の容量増加を俟たずに増大する加入者を賄い切れる移動通信システム、ローカル加入者情報管理装置、および、通信情報管理方法が実現される。
【発明を実施するための最良の形態】
【００４２】
以下、図面を参照して本発明の実施の形態について詳述することにより本発明を明らかにする。
（実施の形態としての移動通信システムの概要）
図１は、本発明の実施の形態としての移動通信システム１００を表す概念図である。
図示の例では、一つのホーム局１１０と複数の（図では、説明の便宜上二つの）ローカル局２１０および２２０を含んで移動通信システムが構成されている。
【００４３】
ホーム局１１０には、各個の移動機３１０、３２０、…を表す情報と、こられ各移動機３１０、３２０、…に対応する加入者情報との原簿情報を含む加入者原簿情報１１１を情報記憶装置１１２に保持して管理する加入者原簿情報管理装置１１３が構成されている。
加入者原簿情報１１１には、上述の各個の移動機３１０、３２０、…を表す情報と、これら各移動機３１０、３２０、…に対応する加入者情報との原簿情報の他に、各移動機３１０、３２０、…に対応する位置登録情報も含まれる。
【００４４】
ローカル局２１０は、交換機を成しており、在圏する移動機３１０についてこの移動機３１０を表す情報と、移動機３１０に対応する加入者情報とを含む加入者管理情報２１１を取得し、所要に応じた態様で情報記憶装置２１２に一時的に或いは所定期間に亘って保持し、これら保持した情報を呼制御に用い得るように管理するローカル加入者情報管理装置２１３がその内部に構成されている。
【００４５】
加入者管理情報２１１には、在圏する移動機３１０を表す情報と、移動機３１０に対応する加入者情報の他に、移動機３１０に対応する位置登録情報も含まれる。
ローカル局２２０についても、ローカル局２１０と同様に交換機を成しており、在圏する移動機３２０についてこの移動機３２０を表す情報と、移動機３２０に対応する加入者情報とを含む加入者管理情報２２１を取得し、所要に応じた態様で情報記憶装置２２２に一時的に或いは所定期間に亘って保持し、これら保持した情報を呼制御に用いるように管理するローカル加入者情報管理装置２２３がその内部に構成されている。
【００４６】
加入者管理情報２２１には、在圏する移動機３２０を表す情報と、移動機３２０に対応する加入者情報の他に、移動機３２０に対応する位置登録情報も含まれる。
特に、３ＧＰＰ（3rd Generation Partnership Projects）勧告に準拠した移動通信システムである場合には、ＨＬＲ（Home Location Register）が加入者原簿情報管理装置１１３に相応し、ＶＬＲ（Visitor Location Register）がローカル加入者情報管理装置２２３に相応する。
【００４７】
既述のように、ＶＬＲ方式では、該当する移動機に関する位置登録を契機に、この移動機が在圏する交換機毎のＶＬＲに加入者情報をＨＬＲからダウンロード（即ち、上述の加入者原簿情報１１１からコピー）し、移動機の位置情報と加入者情報を管理する。
しかしながら、本発明の実施の形態においては、ローカル加入者情報管理装置２１３（２２３）における加入者管理情報２１１（２２１）の取得は、上述のような加入者原簿情報１１１からのコピーとしてダウンロードの形で実行するよりも（この形での取得を排除するものではないが）、在圏する移動機から直接的に取得することによって処理時間の短縮を図り得る。
【００４８】
本発明では、ローカル加入者情報管理装置２１３（２２３）は、上述のように取得した加入者管理情報２１１（２２１）による呼制御が行なわれた後に、所定の判断に基づいて、該当する加入者管理情報２１１（２２１）を選択的に非保存処理する。
この判断は、上述のように取得された加入者管理情報２１１（２２１）に含まれる情報に依拠してなされるが、例えば、加入者管理情報２１１（２２１）に含まれる移動機３１０（３２０）を表す情報または移動機３１０（３２０）に対応する加入者情報等に依拠してなされる。
【００４９】
上述における非保存処理とは、例えば、消去（削除）処理ないし「加入者情報」としては保持しないような処理である。
既述のように、ユーザが携帯する移動機は移動に伴ない在圏の交換機が変更される頻度が高く、これだけに関しても管理情報に関するトラヒックが頻繁に発生する状況にあるのに対し、自動販売機や汎用機器に組み込まれた移動機では、平生の運用において在圏の交換機が変更される蓋然性は極めて低く、従って、この変更に関係する管理情報のトラヒックは滅多に発生しない。
【００５０】
上述におけるような移動機の種別は、ローカル加入者情報管理装置２１３が取得した加入者管理情報２１１（それに含まれる移動機を表す情報、或いは、移動機に対応する加入者情報）に基づいて識別され得る。
従って、例えば、一つの考え方として、これら管理情報のトラヒックは滅多に発生しないような移動機であることが識別されたときには、このような移動機に関する管理情報までも、逐一在圏の交換機におけるローカル加入者情報管理装置に保存しておくといったことはせず、それら管理情報を用いての呼制御が行なわれて以降は（要すれば直ちに）非保存処理に付す。
【００５１】
このように処置することによって、加入者数が増大してもローカル加入者情報管理装置２１３（２２３）で加入者情報として保持している情報の情報量が徒に増大することがないようにすることが可能になる。
換言すれば、ローカル局（ローカル加入者情報管理装置）における加入者情報の保持手段の容量を増加させるといった特段の処置を俟たずに加入者増に対応可能な限界が大幅に拡張される。
【００５２】
移動通信システム１００において、ローカル加入者情報管理装置２１０（２２０）は、上述のようにして取得した加入者管理情報２１１（２１２）に含まれる移動機を表す情報（または加入者情報）を該移動機に係る位置登録に際して認識し、該認識された移動機を表す情報（または加入者情報）に基づいて、この取得に係る加入者管理情報を用いて呼制御を実行した後に、該当する加入者管理情報（上掲の例では、自動販売機や汎用機器に組み込まれた移動機に関する加入者管理情報が該当するが、これに限られるものではない）を選択的に非保存処理するような態様を採り得る。
【００５３】
移動通信システム１００をこのような態様に構築した場合には、既述のような態様において特に、移動機に係る位置登録に際して認識した当該加入者情報に基づいて、加入者管理情報を非保存処理に付すか否かの判断が行なわれる。
このため、位置登録といったこの種の移動通信システムにおける通常の動作の過程で認識される加入者管理情報（移動機を表す情報または加入者情報）に依拠してこの判断がなされ、従って、他の特別な処理を俟たずにこの判断の契機が到来するような簡易なシステムが構築され得る。
【００５４】
以下、移動通信システムが３ＧＰＰ勧告に準拠したものとして構成される場合の、ローカル局における本発明の一つの実施の形態としてのローカル加入者情報管理装置の動作について説明する。
図２は、本発明の一つの実施の形態としてのローカル加入者情報管理装置の位置登録に関する動作を表すフローチャートである。
在圏する移動機の電源がオンにされると、位置登録信号が受信される（ステップＳ２０１）。次いで、受信された位置登録信号について、ＲＡＩ（Routing Area Identification）、Ｐ−ＴＭＳＩ（Packet Temporary Mobile Subscriber Identity）が存在するか否かが判別される（ステップＳ２０２）。このステップＳ２０２では、過去にこのエリアで位置登録が行なわれたか否かをＲＡＩやテンポラリの加入者特定番号であるＰ−ＴＭＳＩの有無で判別する。
【００５５】
ステップＳ２０２での判別結果がＲＡＩ、Ｐ−ＴＭＳＩが存在しない旨であったときには（ステップＳ２０２：Ｎｏ）、次いで、ＩＭＳＩ（International Mobile Subscriber Identity）が存在するか否か、即ち加入者情報の有無が判別される（ステップＳ２０３）。
ステップＳ２０３での判別結果がＩＭＳＩが存在する旨であったときには（ステップＳ２０３：Ｙｅｓ）、次いで、そのＩＭＳＩからＨＬＲ（Home Location Register）に認証情報を問い合わせるサブルーチンが実行される（ステップＳ２０４）。
【００５６】
ステップＳ２０４の処理に次いで、Security Function（通信の秘匿処理）のサブルーチンが実行され、これにより、ＩＭＥＩＳＶ、或いは、ＩＭＥＩが取得される（ステップＳ２０５）。
この実施の形態においては、ＩＭＥＩＳＶ（International Mobile station Equipment Identity and Software Version Number）、或いは、ＩＭＥＩ（International Mobile station Equipment Identity）はＨＬＲにある原簿から取得するのではなく(このような取得を全く排除するものではないが)、移動機から取得する。
【００５７】
Security Functionの処理（ステップＳ２０５）自体は一般的なものであり、この処理において、付加的な別段の処理を要さずに、ＩＭＥＩＳＶ、或いは、ＩＭＥＩが取得される。
従って、このステップＳ２０５のタイミングにおいて、後段の処理に供するためにＩＭＥＩＳＶ、或いは、ＩＭＥＩを取得しておくようにすれば、これらの取得に掛かる処理の繁雑さが回避される。
【００５８】
ステップＳ２０５に次いで、UPDATE Location Insert Subscriberの処理を実行する（ステップＳ２０６）。このステップＳ２０６の内容については後述するが、ＨＬＲにある原簿に位置を登録し、且つ、 加入者情報をローカル局（ＶＬＲ）にダウンロードする処理である。
ステップＳ２０６の処理が終了すると、ステップＳ２０５で取得されたＩＭＥＩＳＶ、或いは、ＩＭＥＩに基づいて、その移動機に関するこれらの管理情報を保存して位置登録を完了するか否かを判別する（ステップＳ２０７）。
【００５９】
ＩＭＥＩＳＶ、或いは、ＩＭＥＩに基づいて、その移動機については、例えば前述のように自動販売機や汎用機器に組み込まれたものであるからその管理情報については非保存処理に付すべきと判別されたときには（ステップＳ２０７：Ｎｏ）、次いで、非保存処理および位置登録完了の処理を実行する（ステップＳ２０８）。
一方、ＩＭＥＩＳＶ、或いは、ＩＭＥＩに基づいて、その移動機については、管理情報を保存すべきと判別されたときには（ステップＳ２０７：Ｙｅｓ）、次いで、非保存処理を実行することなく位置登録完了の処理を実行する（ステップＳ２０９）。
【００６０】
一方、ステップＳ２０２での判別結果がＲＡＩ、Ｐ−ＴＭＳＩが存在する旨であったときには（ステップＳ２０２：Ｙｅｓ）、過去にこのエリアで位置登録が行なわれたことを意味しており、通信履歴から該当するローカル局（ＶＬＲ）にその移動機に関するＩＭＳＩを問い合わせる（ステップＳ２１０）。
ＩＭＳＩの有無を判別し（ステップＳ２１１）、ＩＭＳＩがあると判別されたときには（ステップＳ２１１：Ｙｅｓ）、次いで、認証情報の有無が判別される（ステップＳ２１２）。
【００６１】
ステップＳ２１２で認証情報有りと判別されたときには（ステップＳ２１２：Ｙｅｓ）、既述のステップＳ２０５に移行する。
一方、ステップＳ２１２で認証情報無しと判別されたときには（ステップＳ２１２：Ｎｏ）、既述のステップＳ２０４に移行する。
また、ステップＳ２０３でＩＭＳＩが存在しないと判別されたとき（ステップＳ２０３：Ｎｏ）、および、ステップＳ２１１でＩＭＳＩが存在しないと判別されたときには（ステップＳ２１１：Ｎｏ）、ＭＳ（Mobile  Station）にＩＭＳＩを照会するサブルーチンを実行して、既述のステップＳ２０４に移行する。
【００６２】
図３は、本発明の一つの実施の形態としてのローカル加入者情報管理装置の発信処理に関する動作を表すフローチャートである。
Service Request（発信要求）を受信し（ステップＳ３０１）、認証情報の有無を判別する（ステップＳ３０２）。
ステップＳ３０２で、認証情報有りと判別されたときには（ステップＳ３０２：Ｙｅｓ）、次いで、Security Function（通信の秘匿処理）のサブルーチンが実行される（ステップＳ３０３）。
ステップＳ３０３の処理では、Security Function（通信の秘匿処理）のサブルーチンの実行に伴ない、ＩＭＥＩＳＶ、或いは、ＩＭＥＩが取得される。
この実施の形態においては、ＩＭＥＩＳＶ、或いは、ＩＭＥＩはＨＬＲにある原簿から取得するのではなく(このような取得を全く排除するものではないが)、移動機から取得する。
【００６３】
Security Functionの処理（ステップＳ３０３）自体は一般的なものであり、別段付加的な処理を要さずに、ＩＭＥＩＳＶ、或いは、ＩＭＥＩが取得される。
従って、このステップＳ３０３のタイミングにおいて、後段の処理に供するためにＩＭＥＩＳＶ、或いは、ＩＭＥＩを取得しておくようにすれば、これらの取得に掛かる処理の繁雑さが回避される。
ステップＳ３０３の実行に次いで、Active PDP Context（パケット接続の確立宣言などが含まれる）を受信する（ステップＳ３０４）。
次いで、加入者情報の有無が判別され（ステップＳ３０５）、加入者情報有りと判別されたときには（ステップＳ３０５：Ｙｅｓ）、通常の発信処理が実行される（ステップＳ３０６）。
【００６４】
ステップＳ３０６の処理が終了すると、ステップＳ３０３取得されたＩＭＥＩＳＶ、或いは、ＩＭＥＩに基づいて、その移動機に関するこれらの管理情報を保存して位置登録を完了するか否かを判別する（ステップＳ３０７）。
ＩＭＥＩＳＶ、或いは、ＩＭＥＩに基づいて、その移動機については、例えば前述のように自動販売機や汎用機器に組み込まれたものであるからその管理情報については非保存処理に付すべきと判別されたときには（ステップＳ３０７：Ｎｏ）、次いで、非保存処理および位置登録完了の処理を実行する（ステップＳ３０８）。
【００６５】
一方、ステップＳ３０３で取得したＩＭＥＩＳＶ、或いは、ＩＭＥＩに基づいて、その移動機については、管理情報を保存すべきと判別されたときには（ステップＳ３０７：Ｙｅｓ）、次いで、非保存処理を実行することなく位置登録完了の処理を実行する（ステップＳ３０９）。
また、既述のステップＳ３０２で、認証情報無しと判別されたときには（ステップＳ３０２：Ｎｏ）、ＨＬＲに認証情報を問い合わせるサブルーチンが実行される（ステップＳ３１０）。
【００６６】
このステップＳ３１０が終了すると、既述のステップＳ３０３に移行する。
また、既述のステップＳ３０５で、加入者情報無しと判別されたときには（ステップＳ３０５：Ｎｏ）、UPDATE Location Insert Subscriberの処理を実行する（ステップＳ３１１）。
このステップＳ３１１では、ＨＬＲにある原簿に位置を登録し、且つ、 加入者情報をローカル局（ＶＬＲ）にダウンロードする。ステップＳ３１１の処理が終了すると、既述のステップＳ３０６に移行する。
【００６７】
図４は、本発明の実施の形態としての移動通信システムにおける通信シーケンスを示す図である。特に図４は、パケット通信における初回の位置登録処理に関する通信シーケンスを示している。
移動機（ＮＴ）からローカル局（ローカル加入者情報管理装置）たる在圏ノード（ＳＧＳＮ：Serving General packet radio service Support Node）に位置登録要求であるAttach Requestが送られる（ステップＳ４０１）。
【００６８】
ＳＧＳＮは加入者原簿情報管理装置たるＨＬＲ（Home Location Resister）に加入者の認証情報取得要求であるMAP_Send_Authentication_infoを送信する（ステップＳ４０２）。
ステップＳ４０２でのMAP_Send_Authentication_infoなる要求対する応答であるMAP_Send_Authentication_ackがあると（ステップＳ４０３）、ＭＴとＳＧＳＮ間で通信の秘匿処理（Security Function）が実行される（ステップＳ４０４）。
【００６９】
このSecurity Functionの処理過程でＳＧＳＮは国際移動機器識別子（ＩＭＥＩ：International Mobile Equipment Identity）データを取得する。
次いで、ＳＧＳＮはＨＬＲに対して該当する移動機に関する位置登録要求MAP_Update_GPRS Location Requestを送る（ステップＳ４０５）。
一方、ＨＬＲは加入者情報の取得要求であるMAP_Insert_SUBSCRIBER_Data  Request信号を送る（ステップＳ４０６）。
【００７０】
ステップＳ４０６のMAP_Insert_Subscriber_Data Requestに対しては、ＳＧＳＮからＨＬＲにMAP_Insert_Subscriber_Data_Responseが応答される（ステップＳ４０７）。
この段階で、ＳＧＳＮでは、ＩＭＥＩ、加入者情報に基づいてローカル局（ローカル加入者情報管理装置）たる在圏ノード（ＳＧＳＮ）に、当該ＩＭＥＩ、加入者情報を保持するか否かを判定する（ステップＳ４０８）。
【００７１】
先のステップＳ４０５での位置登録要求MAP_Update_GPRS Location Requestに対しては、ＨＬＲからＳＧＳＮへの位置登録完了報告であるMAP_Update_GPRS Location_Responseが応答される（ステップＳ４０９）。
以上、ステップＳ４０５からステップＳ４０９のデータ授受によりＨＬＲの原簿に位置を登録が行なわれ、且つ、 加入者情報をローカルのＳＧＳＮにダウンロードする手順が完了する。この手順が既述の図２のフローチャートにおけるステップＳ２０６の処理内容に相応する。
【００７２】
ＳＧＳＮはＭＴに対し位置登録完了報告であるAttach Acceptを発し（ステップＳ４１０）、ＭＴはＳＧＳＮに受信確認通知Attach Completeを返して呼の設定が確立する（ステップＳ４１１）。
ステップＳ４１１以降のタイミングで、Ｐ−ＴＭＳＩ（Packet Temporary Mobile Subscriber Identity）、加入者識別子（ＩＭＵＩ：International Mobile User Identifier）等在圏ＲＡ（Routing Area）以外の加入者情報を削除する（ステップＳ４１２）。
【００７３】
図５は、本発明の実施の形態としての移動通信システムにおける通信シーケンスを示す図である。特に図５は、パケット通信における２回目以降の位置登録処理に関する通信シーケンスを示している。
ＭＴから移動後において在圏することになったＳＧＳＮ（図５ではＮｅｗ  ＳＧＳＮと表記）に位置登録要求RA Update Requestが送られる（ステップＳ５０１）。
Ｎｅｗ  ＳＧＳＮは加入者情報を照会するべくIdentification RequestをＭＴが元在圏していたＳＧＳＮ（図５ではＯｌｄ  ＳＧＳＮと表記）に送る（ステップＳ５０２）。
Ｏｌｄ  ＳＧＳＮに該当する情報が保持されている場合には、Ｏｌｄ  ＳＧＳＮからＮｅｗ  ＳＧＳＮに加入者情報が応答（Identification Response）される（ステップＳ５０３）。
【００７４】
他方、Ｏｌｄ  ＳＧＳＮに該当する情報が保持されていない場合には、Ｎｅｗ  ＳＧＳＮは加入者原簿情報管理装置たるＨＬＲ（Home  Location  Resister）にMAP_Send_Authentication_info信号を送信して当該ＭＴが正規加入者であるかの照会を行なう（ステップＳ５０４）。
ステップＳ５０４での照会に対する肯定応答（MAP_Send_Authentication_ack）があると（ステップＳ５０５）、ＭＴとＮｅｗ  ＳＧＳＮ間で通信の秘匿処理（Security Function）が実行される（ステップＳ５０６）。
【００７５】
このSecurity Functionの処理過程でＳＧＳＮは国際移動機器識別子（ＩＭＥＩ：International Mobile Equipment Identity）データを取得する。
次いで、Ｎｅｗ  ＳＧＳＮはＨＬＲに対して該当する移動機に関する位置登録要求MAP_Update_GPRS Location Requestを送る（ステップＳ５０７）。
一方、ＨＬＲは加入者に関する確認要求（MAP_Insert_Subscriber_Data  Request）を送る（ステップＳ５０８）。
【００７６】
ステップＳ５０８のMAP_Insert_Subscriber_Data  Requestに対しては、Ｎｅｗ  ＳＧＳＮからＨＬＲにMAP_Insert_Subscriber_Data_Responseが応答される（ステップＳ５０９）。
この段階で、Ｎｅｗ  ＳＧＳＮでは、ＩＭＥＩＳＶ、加入者情報に基づいてローカル局（ローカル加入者情報管理装置）たる在圏ノード（Ｎｅｗ  ＳＧＳＮ）に、当該ＩＭＥＩＳＶ、加入者情報を保持するか否かを判定する（ステップＳ５１０）。
【００７７】
先のステップＳ４０５でのMAP_Update_GPRS Location Requestに対しては、ＨＬＲからＮｅｗ  ＳＧＳＮにMAP_Update_GPRS Location_Responseが応答される（ステップＳ５１１）。
以上、ステップＳ５０７からステップＳ５１１のデータ授受によりＨＬＲの原簿に位置を登録が行なわれ、且つ、 加入者情報をローカルのＮｅｗ  ＳＧＳＮにダウンロードする手順が完了する。
【００７８】
Ｎｅｗ  ＳＧＳＮはＭＴに対し接続の更新を許容（RA Update Accept）し（ステップＳ５１２）、ＭＴはＮｅｗ  ＳＧＳＮにRA Update Completeを返して呼の再設定が確立する（ステップＳ５１３）。
ステップＳ５１１以降のタイミングで、Ｐ−ＴＭＳＩ（Packet Temporary Mobile Subscriber Identity）、加入者識別子（ＩＭＵＩ：International Mobile User Identifier）等在圏ＲＡ（Routing Area）以外の加入者情報を削除する（ステップＳ５１４）。
【００７９】
図６は、本発明の実施の形態としての移動通信システムにおける通信シーケンスを示す図である。特に図６は、パケット発信時における通信シーケンスを示している。
ＭＴからＳＧＳＮに通信接続要求Service Requestが送られる（ステップＳ６０１）。
ステップＳ６０１の信号を受けたＳＧＳＮは加入者情報が無いことを確認しＨＬＲに加入者情報を請求する（ステップＳ６０２）。
具体的には、先ずＳＧＳＮからＨＬＲにMAP_Send_Authentication_info信号を送信して当該ＭＴが正規加入者であるかの照会を行なう（ステップＳ６０３）。
ステップＳ６０３での照会に対する肯定応答（MAP_Send_Authentication_ack）があると（ステップＳ６０４）、ＭＴとＳＧＳＮとの間の通信について秘匿処理（Security Function）が実行される（ステップＳ６０５）。
【００８０】
このSecurity Functionの処理過程でＳＧＳＮは国際移動機器識別子（ＩＭＥＩ：International Mobile Equipment Identity）データを取得する。
ＭＴからＳＧＳＮに通信接続許可後のサービス要求であるＰＤＰコンテキスト活性化要求（Active PDP Context Request）が発せられる（ステップＳ６０６）。
ステップＳ６０６に次いでＳＧＳＮは加入者情報が無いことを確認しＨＬＲに加入者情報を請求する（ステップＳ６０７）。
【００８１】
具体的には、ＳＧＳＮからＨＬＲに対して該当する移動機に関する位置登録要求MAP_Update_GPRS Location Requestを送る（ステップＳ６０８）。
一方、ＨＬＲは加入者に関する確認要求（MAP_Insert_Subscriber_Data  Request）を送る（ステップＳ６０９）。
ステップＳ６０９でのMAP_Insert_Subscriber_Data Requestに対しては、ＳＧＳＮからＨＬＲにMAP_Insert_Subscriber_Data Responseが応答される（ステップＳ６１０）。
【００８２】
また、ステップＳ６０８のMAP_Insert_Subscriber_Data  Requestに対しては、ＨＬＲからＳＧＳＮにMAP_Update_GPRS Location  Responseが応答される（ステップＳ６１１）。
次いで、ＳＧＳＮからＧＧＳＮ（Gateway GPRS Support Node）に両者間でのサービス接続要求であるＰＤＰコンテキスト生成要求Create PDP Context Requestを送信する（ステップＳ６１２）。
ステップＳ６１２での要求に応答してＧＧＳＮからＳＧＳＮにＰＤＰコンテキスト生成応答（Create PDP Context Response）が返される（ステップＳ６１３）。
【００８３】
ＳＧＳＮはＰＤＰコンテキスト活性化要求受理（Active PDP Context Accept）を返す（ステップＳ６１４）。
ステップＳ６１４以降のタイミングで、Ｐ−ＴＭＳＩ（Packet Temporary Mobile Subscriber Identity）、加入者識別子（ＩＭＵＩ：International Mobile User Identifier）等在圏ＲＡ（Routing Area）以外の加入者情報を削除する（ステップＳ６１５）。
ＭＴではＤＮＳ（Domain Name System）のドメインネームを取得し（ＤＮＳ取得）、ＨＴＴＰ（hypertext transfer protocol）通信を行なうことができる（ステップＳ６１６）。
【００８４】
図７は、本発明の実施の形態としての移動通信システムにおける通信シーケンスを示す図である。特に図７は、パケット着信時における通信シーケンスを示している。
ＭＴからＧＧＳＮに送信要求（Service Request）信号が送られる（ステップＳ７００）。
ＧＧＳＮは着信通知を受けて（ステップＳ７０１）、着信応答を返す（ステップＳ７０２）。
ＧＧＳＮはＨＬＲに汎用パケット無線交換（ＧＰＲＳ：General Packet Radio Service）のための送信経路選択情報（ＳＲＩ：Send_Routing_Information）を要求（SRI For GPRS Request）する（ステップＳ７０３）。
【００８５】
ステップＳ７０３の要求に対してＨＬＲからＧＧＳＮに応答（SRI For GPRS Response）が返される（ステップＳ７０４）。
ＧＧＳＮではＳＧＳＮのアドレスが取得される（ステップＳ７０５）。
次いで、ＧＧＳＮからＳＧＳＮにＰＤＵ（Protocol Data Unit）通知を要求（PDU  Notification  Request）すると（ステップＳ７０６）、ＳＧＳＮからＧＧＳＮにＰＤＵ通知（PDU  Notification  Response）が返される（ステップＳ７０７）。
【００８６】
ステップＳ７０７以降にＳＧＳＮからＭＴにパケット通信のページング（PS  PAGING）が実行される（ステップＳ７０８）。
ステップＳ７０８でのページングはＳＧＳＮの管理する登録局エリア（ＲＡ：Routing Area）に在圏しているＭＴに関してのみ実行される。このために必要とされるＲＡ情報をローカルで保有することによって無駄なページングの発生が抑止される。
【００８７】
ＳＧＳＮで認証情報を保有していないためＨＬＲへの問い合わせが実行される（ステップＳ７０９）。
即ち、ＳＧＳＮはＨＬＲにMAP_Send_Authentication_info信号を送信して当該ＭＴが正規加入者であるかの照会を行なう（ステップＳ７１０）。
ステップＳ７１０での照会に対する肯定応答（MAP_Send_Authentication_ack）があると（ステップＳ７１１）、ＭＴとＳＧＳＮ間で通信の秘匿処理（Security Function）が実行される（ステップＳ７１２）。
このSecurity Functionの処理過程でＳＧＳＮは国際移動機器識別子（ＩＭＥＩ）データを取得する。
これ以降、既述の発信時と同様の処理が実行される。
【産業上の利用可能性】
【００８８】
本発明は、各個の移動機を表す情報とこれら各移動機に対応する加入者情報との原簿情報を含む加入者原簿情報を管理する加入者原簿情報管理装置と、在圏する移動機について当該各移動機を表す情報と各移動機に対応する加入者情報とを含む加入者管理情報を上述の加入者原簿情報管理装置から取得して管理するローカル加入者情報管理装置とを含んで構築された移動通信システム、このシステムにおけるローカル加入者情報管理装置、および、通信情報管理方法に利用することができる。
【図面の簡単な説明】
【００８９】
【図１】本発明の実施の形態としての移動通信システムを表す概念図である。
【図２】本発明の一つの実施の形態としてのローカル加入者情報管理装置の位置登録に関する動作を表すフローチャートである。
【図３】本発明の一つの実施の形態としてのローカル加入者情報管理装置の発信処理に関する動作を表すフローチャートである。
【図４】本発明の実施の形態としての移動通信システムにおける通信シーケンス（初回の位置登録）を示す図である。
【図５】本発明の実施の形態としての移動通信システムにおける通信シーケンス（２回目以降の位置登録）を示す図である。
【図６】本発明の実施の形態としての移動通信システムにおける通信シーケンス（パケット発信時）を示す図である。
【図７】本発明の実施の形態としての移動通信システムにおける通信シーケンス（パケット着信時）を示す図である。
【符号の説明】
【００９０】
１００…移動通信システム
１１０…ホーム局
１１１…加入者原簿情報
１１２…情報記憶装置
１１３…加入者原簿情報管理装置
２１０，２２０…ローカル局
２１１，２２１…加入者管理情報
２１２，２２２…情報記憶装置
２１３，２２３…ローカル加入者情報管理装置
３１０，３２０…移動機
【図１】
0004955490.tif 000002
【図２】
0004955490.tif 000003
【図３】
0004955490.tif 000004
【図４】
0004955490.tif 000005
【図５】
0004955490.tif 000006
【図６】
0004955490.tif 000007
【図７】
0004955490.tif 000008